(57)【要約】【課題】現在時刻をより正確に計数することができる給水装置を提供する。【解決手段】給水装置は、建物に水を供給するための給水装置であって、現在時刻を計数する計時部を有している制御部と、通信部と、を備える。通信部は、外部表示器と通信することができるように構成され、給水装置の各種情報を外部表示器に送信可能であり、且つ外部表示器から時刻情報を受信可能である。制御部は、外部表示器から通信部が受信した時刻情報と計時部が計数した現在時刻とのずれに基づいて計時部による現在時刻の計数を修正する。【選択図】図６
2018127997.tif 000002
【特許請求の範囲】
【請求項１】
建物に水を供給する給水装置であって、
現在時刻を計数する計時部を有している制御部と、
外部表示器と通信することができるように構成され、前記給水装置の各種情報を前記外部表示器に送信可能であり、且つ前記外部表示器から時刻情報を受信可能な通信部と、
を備え、
前記制御部は、前記外部表示器から前記通信部が受信した時刻情報と前記計時部が計数した現在時刻とのずれに基づいて前記計時部による現在時刻の計数を修正する、
給水装置。
【請求項２】
前記制御部は、前記外部表示器から前記通信部が受信した第１の時刻情報と、前記第１の時刻情報を受信する前に前記外部表示器から前記通信部が受信した第２の時刻情報と、の差分を算出し、前記算出した差分と、前記第１の時刻情報と前記計数部が計数した現在時刻とのずれと、に基づいて単位時間あたりの前記計数部による現在時刻の計数のずれを算出し、前記算出した単位時間あたりの前記計数部による現在時刻の計数のずれに基づいて前記計時部による現在時刻の計数を修正する、
請求項２に記載の給水装置。
【請求項３】
前記給水装置の各種情報には、給水装置の運転に関する情報が含まれ、
前記制御部は、前記給水装置の運転に関する情報を前記計時部が計数した現在時刻と共に記憶部に記憶する、
請求項１または２に記載の給水装置。
【請求項４】
前記制御部は、前記算出した単位時間あたりの前記計数部による現在時刻の計数のずれに基づいて、前記記憶部に記憶されている前記計時部が計数した現在時刻を修正する、
請求項２を引用する請求項３に記載の給水装置。
【請求項５】
前記制御部は、前記給水装置の各種情報として、前記給水装置の異常情報、前記ポンプの運転・停止、前記ポンプの流入圧力、前記ポンプの吐出し圧力、前記ポンプが有するモータの電流値、前記ポンプからの流量情報、前記ポンプの温度、前記ポンプの回転数のうち、少なくとも一部を前記記憶部に記憶する、
請求項３または４に記載の給水装置。
【請求項６】
前記通信部は、前記外部表示器から電波を受信して該電波を電力に変換する制御部側アンテナ部を有する請求項１から５の何れか１つに記載の給水装置。
【請求項７】
前記通信部は、前記情報を近距離無線通信（ＮＦＣ）によって前記外部表示器に送信する、請求項１から６の何れか１つに記載の給水装置。
【請求項８】
前記制御部は、前記給水装置の各種情報として、前記外部表示器との通信記録を前記記憶部に記憶することを特徴とする
請求項１から７の何れか１つに記載の給水装置。
【発明の詳細な説明】
【技術分野】
【０００１】
本発明は、給水装置に関する。
【背景技術】
【０００２】
給水装置は、建物等の給水対象に水道水を供給するために広く使用されている。給水装置の給水方式としては、水道本管の水を一旦受水槽に貯留し、受水槽の水を給水対象へポンプにて加圧する受水槽方式、及び、水道本管の本管圧を利用しポンプにて増圧することにより給水対象へ水を供給する直結給水方式などが知られている。給水装置では、制御部によりポンプが制御され、例えばポンプの吐出し圧力に基づいて推定末端圧力一定制御または目標圧力一定制御が行われる。また、給水装置が複数台のポンプを備える場合には、給水量に応じて運転ポンプの台数制御、及び、起動するポンプをローテーションする制御が行われる。こうした制御部によるポンプの制御は、給水装置の設置状況および給水対象に応じて記憶部に予め記憶された設定値（設定情報）に基づいて行われる。
【０００３】
給水装置の設定情報は、建物等の使用状況および環境の変化に応じて変更が求められる場合がある。一般的に、設定情報の変更は、給水装置に設けられている運転パネルによって行われる。しかし、通常、給水装置は自動制御がなされるため、運転パネルが操作される機会は少ない。また、給水装置は、機械室またはポンプ室などの電気的なノイズが多い環境に設置されることがあり、電気的ノイズに強い７セグメントＬＥＤおよび表示灯などが使用されている。このため、運転パネルは比較的簡略化された構成になり、また設定情報を変更する操作は頻度も小さいため、利便性が重要視されずに操作が複雑になりやすい。特に、複数の設定情報を変更する場合には運転パネルの操作が煩雑となる。
【０００４】
そして、近年、携帯端末にて操作することができる給水装置が提案されている。携帯端末にて給水装置を操作することにより、給水装置の運転パネルを簡略化することができるとともに、携帯端末の操作部を利用して給水装置に不慣れなユーザーでも容易に給水装置を操作することができる。
【先行技術文献】
【特許文献】
【０００５】
【特許文献１】特開２００５−１７１７８８号公報
【発明の概要】
【発明が解決しようとする課題】
【０００６】
上記したように、携帯端末などの外部表示器を用いて給水装置を操作することができる場合、簡単な操作によって給水装置の設定を変更できるため、誤った設定の変更をしてしまい、給水装置の動作に支障をきたすおそれがある。よって、給水装置に不具合が発生した場合には、設定変更が行われた履歴を参照することが、不具合の原因を究明するのに非常に有効となる。
【０００７】
設定変更の履歴だけにかかわらず、給水装置では、異常検出履歴およびポンプに関する履歴など、給水装置の運転に関する情報の履歴を記憶することが機器の保守点検の一環に役立つ。こうした情報の履歴を記憶するときには、情報を記憶するときの時刻情報を合わせて記憶することが有効である。しかし、給水装置の設置されている環境や給水装置の個体差などの原因により、給水装置の制御に用いられている時刻には誤差が生じている可能性がある。このため、給水装置の運転に関する情報の履歴を正確に記憶するには、給水装置の制御に用いられている時刻を定期的に補正する必要がある。
【０００８】
また、給水装置では、所定日時において試験運転または定期運転などの運転を自動で行うことが望まれる場合もある。こうした場合にも、給水装置の現在時刻にずれがあると、意図しないタイミングで給水装置が運転されてしまう。
【０００９】
本発明は、上述した事情に鑑みてなされたもので、現在時刻をより正確に計数することができる給水装置を提供することを目的の１つとする。
【課題を解決するための手段】
【００１０】
（形態１）形態１によれば、建物に水を供給する給水装置が提供され、かかる給水装置は、現在時刻を計数する計時部を有している制御部と、外部表示器と通信することができるように構成され、給水装置の各種情報を外部表示器に送信可能であり、且つ外部表示器から時刻情報を受信可能な通信部と、を備える。そして、制御部は、外部表示器から通信部が受信した時刻情報と計時部が計数した現在時刻とのずれに基づいて計時部による現在時刻の計数を修正する。
形態１によれば、外部表示器から受信される時刻情報に基づいて計時部による現在時刻の計数が修正されるので、給水装置における現在時刻をより正確に計数することができる。
【００１１】
（形態２）形態２によれば、形態１の給水装置であって、制御部は、外部表示器から通信部が受信した第１の時刻情報と、第１の時刻情報を受信する前に外部表示器から通信部が受信した第２の時刻情報と、の差分を算出する。制御部は、算出した差分と、第１の時刻情報と計数部が計数した現在時刻とのずれと、に基づいて単位時間あたりの計数部による現在時刻の計数のずれを算出する。そして、制御部は、算出した単位時間あたりの計数部による現在時刻の計数のずれに基づいて計時部による現在時刻の計数を修正する。
形態２によれば、外部表示器から受信される時刻情報に基づいて、単位時間当たりの計数部による現在時刻の計数のずれが算出される。これにより、給水装置における現在時刻をより正確に計数することができる。
【００１２】
（形態３）形態３によれば、形態１または２の給水装置であって、給水装置の各種情報には、給水装置の運転に関する情報が含まれ、制御部は、給水装置の運転に関する情報を計時部が計数した現在時刻と共に記憶部に記憶する。
形態３によれば、給水装置の運転に関する情報をより正確な時刻と共に記憶部に記憶することができる。
【００１３】
（形態４）形態４によれば、形態２を引用する形態３の給水装置であって、制御部は、前記算出した単位時間あたりの前記計数部による現在時刻の計数のずれに基づいて、記憶部に記憶されている計時部が計数した現在時刻を修正する。
形態４によれば、外部表示器から受信される時刻情報に基づいて記憶部に記憶されている現在時刻を修正することができる。これにより、給水装置の運転に関する情報をより正確な時刻とともに記憶部に記憶することができる。
【００１４】
（形態５）形態５によれば、形態３または４の給水装置であって、制御部は、給水装置の各種情報として、給水装置の異常情報、ポンプの運転・停止、ポンプの流入圧力、ポンプの吐出し圧力、ポンプが有するモータの電流値、ポンプからの流量情報、ポンプの温度、ポンプの回転数のうち、少なくとも一部を記憶部に記憶する。
【００１５】
（形態６）形態６によれば、形態１から５の何れかの給水装置であって、通信部は、外部表示器から電波を受信して該電波を電力に変換する制御部側アンテナ部を有する。
【００１６】
（形態７）形態７によれば、形態１から６の何れか１つの給水装置であって、通信部は、情報を近距離無線通信（ＮＦＣ）によって外部表示器に送信する。
【００１７】
（形態８）形態８によれば、形態１から７の何れか１つの給水装置であって、制御部は、給水装置の各種情報として、外部表示器との通信記録を記憶部に記憶する。
【図面の簡単な説明】
【００１８】
【図１】本発明の実施形態に係る給水装置の一例を示す平面図である。
【図２】本発明の実施形態に係る給水装置の一例を示す正面図ある。
【図３】本発明の実施形態に係る給水装置の一例を示す左側面図である。
【図４】制御部の一例を示す概略ブロック構成図である。
【図５】制御部により実行される現在時刻計数処理の一例を示すフローチャートである。
【図６】制御部により実行される時刻修正処理の一例を示すフローチャートである。
【図７】受信した時刻に基づいて現在時刻を修正する制御を説明するための図である。
【図８】給水装置の運転情報の履歴に基づいて抑制制御を実行する一例を示す図である。
【図９】制御部の別の形態を示す図である。
【図１０】変形例の制御部および外部表示器を示す図である。
【発明を実施するための形態】
【００１９】
以下、本発明の実施形態について図面を参照して説明する。なお、図面では同一または相当する構成要素には同一の符号を付して、重複した説明を省略する。
【００２０】
図１〜図３は本発明の実施形態に係る給水装置の一例を示す模式図であり、図１は平面図、図２は正面図、図３は左側面図である。図示するように給水装置１０では、ベース２０の上に、二台のポンプ３０Ａ，３０Ｂと、これらポンプ３０Ａ，３０Ｂの中間に配置される圧力タンク５０とが載置されている。また、給水装置１０は、ポンプ３０Ａ，３０Ｂの吐出側に接続される吐出配管４０と、圧力タンク５０の上部に設置される制御盤６０とを具備して構成されている。以下各構成部品について説明する。
【００２１】
まず、給水装置１０の建物への給水方式としては、水道本管の水を一旦受水槽に貯留し、受水槽の水を給水対象へポンプにて増圧する受水槽方式、及び、水道本管の本管圧を利用しポンプにて増圧することにより給水対象へ水を供給する直結給水方式などがある。また、給水対象への給水方式としては、ポンプにて増圧した水を直接圧送する直送式、または、ポンプにて増圧した水を屋上のタンクに一旦貯留し、自然流下にて給水を行う高置水槽方式等がある。
【００２２】
ベース２０は略矩形の平板状で、長手方向の両側辺は下方向に折り曲げられた後に外方向に折り曲げられることで、Ｌ字状の固定辺２３，２３を構成している。
【００２３】
ポンプ３０Ａ，３０Ｂは、それぞれポンプ部３１Ａ，３１Ｂと、これらを駆動するモータ部３３Ａ，３３Ｂとを備えている。ポンプ部３１Ａ，３１Ｂの手前側の端面には、図示しない受水槽または水道本管から分岐した供給管(不図示)を接続する吸込部３５Ａ，３５Ｂが設けられ、またポンプ部３１Ａ，３１Ｂの上面には吐出部３７Ａ，３７Ｂが設けられている。なお、直結給水方式の場合には、吸込部３５Ａ，３５Ｂが水道本管から分岐した供給管に逆流防止装置(不図示)を介して接続され、供給管には、水道本管の圧力を検出する図示しない圧力センサが設けられる。以下、供給管に設けられる水道本管の圧力を計測する圧力センサにより検出される圧力値を「流入圧力」という。
【００２４】
吐出配管４０は略Ｔ字状の配管であり、両ポンプ３０Ａ，３０Ｂの吐出部３７Ａ，３７Ｂに、フロースイッチ４９Ａ，４９Ｂ、及びチェッキ弁（逆止弁）４７Ａ，４７Ｂを介し
てその両端が接続されている。また吐出配管４０の中央には吐出集合管４３が設けられている。これによって両ポンプ３０Ａ，３０Ｂの吐出側は並列に接続され、両ポンプ３０Ａ，３０Ｂの吐出流体は吐出集合管４３にて合流する。またチェッキ弁４７Ａ，４７Ｂによって、ポンプ３０Ａ，３０Ｂが停止したときに吐出配管４０内の水がポンプ３０Ａ，３０Ｂ側に逆流しない。また吐出配管４０の中央の下部にはこの吐出配管４０を圧力タンク５０に連結する連結配管４５が取り付けられ、さらに吐出配管４０には配管内圧力を検出する圧力センサ４８が取り付けられている。そして圧力タンク５０とチェッキ弁４７Ａ，４７Ｂの効果によって、ポンプ３０Ａ，３０Ｂが停止した後の吐出配管４０内の圧力は、水が使用されない限り一定圧力に保持される。以下、圧力センサ４８により検出される圧力値を「吐出し圧力」という。
【００２５】
なお、本実施例ではポンプ３０Ａ，３０Ｂとポンプ２台の構成だが、ポンプ台数は１台もしくは３台以上の複数台の構成としてもよい。
【００２６】
制御盤６０は、ケース６１内に、ポンプの運転制御を行う各種電気回路からなる制御部６５を内蔵して構成されている。この制御部６５は、外部表示器８０と有線または無線により通信する通信部７３を備えている。外部表示器８０としては、例えばスマートフォン、携帯電話、パソコン、タブレット等の汎用端末機器、または遠方監視器などの専用端末機器が採用される。
【００２７】
図４は、制御部の一例を示す概略ブロック構成図である。図示するように、制御部６５は、制御用メモリ（記憶部）６６と、演算部６９と、Ｉ／Ｏ部（入力部および出力部）７０と、運転パネル（操作表示部）７９と、通信部７３と、計時部７４と、を備えている。設定部７１及び表示部７２は、運転パネル７９に備えられている。
【００２８】
また、図３のように制御部６５は通信部７３と別々の基板としてもよい。その場合は、制御部６５と通信部７３はシリアル通信や信号線等の有線もしくは無線通信にて接続される。制御部６５と通信部７３を別々の基板とした場合は、給水装置１０から離れた場所（例えば、管理人室や遠隔監視室等）に設置し、制御部６５とシリアル通信や信号線等で接続された遠隔監視用の機器内に通信部７３を構成してもよい。
【００２９】
設定部７１は、外部操作により、給水を行うのに必要な各種設定値（設定情報）を設定するのに使用される（設定入力）。設定部７１において設定された各種設定値は、制御用メモリ６６に記憶される。一例として、ユーザーは、設定部７１を介して、停止圧力、始動圧力、及び、その他制御に必要な情報を設定情報として入力（設定入力）し、設置現場にて設定情報を変更できるようになっている。
【００３０】
また、設定情報には、外部表示器８０による設定情報の変更を制限する変更制限情報が含まれてもよい。変更制限情報によって設定情報の変更が禁止されているときには、外部表示器８０から設定情報を変更することができない。この場合には、設定部７１を通じて変更制限情報を変更することで、外部表示器８０による設定情報の変更（設定入力）が許容される。これにより、例えば、メンテナンス作業中に、第三者が外部表示器８０により設定情報を変更することを防止することができる。また、給水装置１０は、マンションやビルの道路に面した外壁面に設置されることもあり、第三者が外部表示器８０を用いて不正なアクセスすることが懸念される。これら不正アクセスが確認された場合に、制御部６５は、変更制限情報を変更することによって、外部表示器８０による設定情報の変更を禁止するとよい。そうすれば、外部表示器８０にて設定入力ができなくなり、第三者における不正アクセス等を防止することができる。更に、制御部６５は、変更制限情報にて外部表示器８０による通信を禁止してもよい。そうすれば、外部表示器８０にて給水装置１０の各種情報を閲覧することもできなくなるため、不正アクセスへのセキュリティがより向
上することとなる。なお、変更制限情報は、設定情報の内容ごとに設定できるものとしてもよい。
【００３１】
表示部７２は、ユーザーインターフェースとして機能し、制御用メモリ６６又は通信用メモリ６７に格納されている設定値等の各種データや、現在のポンプ３０Ａ，３０Ｂの運転状況（運転情報）、例えばポンプ３０Ａ，３０Ｂのそれぞれの運転または停止、運転周波数、電流、流入圧力、吐出し圧力、モータ部３３Ａ，３３Ｂを駆動するインバータのトリップ、吸入圧力低下警報、及び、受水槽警報等を表示する。
【００３２】
本実施形態では、表示部７２として、７セグメントＬＥＤ及び表示灯などの簡易な表示器を採用することができる。ただし、表示部７２は、こうした例に限定されず、ドットマトリクス方式による液晶表示器などであってもよい。また、外部表示器８０として、タッチ入力方式または押圧ボタン方式を用いた液晶画面での高機能表示器を採用することができる。この場合、表示部７２には簡易な情報を表示でき、外部表示器８０には大きな情報量の情報を表示できる。こうした構成により、外部表示器８０に、制御部６５によるポンプ３０Ａ，３０Ｂの運転状況に関した情報など（例えば、目標圧ＳＶ、現在圧ＰＶ、ポンプ３０Ａ，３０Ｂの運転・停止、及び、ポンプ３０Ａ，３０Ｂの周波数など）を同一画面上に表示することによって、給水装置に不慣れなユーザーも誤解することなく、給水装置１０の状態を認識したり、設定変更を行うことができる。また、給水装置１０は、機械室またはポンプ室などの電気的なノイズの多い環境に設置されることがある。こうした場合に備えて、表示部７２として、液晶表示やタッチパネルよりも電気的ノイズに強い７セグメントＬＥＤや表示灯、機械的な押圧ボタンなどにて構成された表示器が使用されてもよい。これにより、外部環境から発生される電気的なノイズによって外部表示器８０の液晶表示やタッチパネル操作に異常が発生した場合でも、表示部７２により給水装置１０の運転に必要な最低限度の表示および操作を行うことができる。したがって、給水装置１０を電気的ノイズの多い環境下にも設置することができる。
【００３３】
さらに、外部表示器８０として、スマートフォン、携帯電話、パソコン、又は、タブレットなどの汎用端末機器を採用した場合には、これらの機器に、外部表示器８０として作用するための専用のアプリケーションソフトウエアをインストールさせてもよい。この場合には、専用のアプリケーションソフトウエアをユーザーのレベル又は目的に沿って複数用意してもよい。
【００３４】
外部表示器８０は、給水装置１０と通信時には、正確な時刻を保有する機能を有するとよい。その一例として、外部表示器８０は、ＧＰＳを保有しており、更には、公衆回線やネットワーク等を介して、定期的に現在地点における標準時を取得する通信機能を保有する機器を用いるとよい。そして、給水装置１０と通信を行う際には上述した給水装置１０と通信する専用のアプリケーションソフトウエアで、この標準時を参照し給水装置に送信するとよい。但し、本実施形態においては、給水装置１０と通信するときにのみ正確な時刻を保有していればよく、外部表示器８０による正確な時刻の取得の方法は、上述した標準時の自動取得のみに限らない。専用のアプリケーションソフトウエアにて、現在時刻の入力機能を設け、給水装置１０と通信する前にユーザーが時刻合わせを行ってもよい。
【００３５】
なお、制御部６５に運転パネル７９または表示部７２が設けられずに、外部表示器８０のみが設けられてもよい。この場合、上述した運転パネル７９の機能は外部表示器８０にて全て実施可能とする。給水装置１０には表示器自体を設ける必要がなくなるので、給水装置１０全体のコストを更に下げることが可能である。
【００３６】
制御用メモリ６６には、給水装置１０を制御するための制御プログラム、給水装置１０の装置情報、故障履歴、運転履歴、及び、設定部７１を通じて入力された設定情報等が格
納されている。ここで、ポンプの出力は、モータ部３３Ａ，３３Ｂの容量やモータ部３３Ａ，３３Ｂを駆動するためのインバータの容量等にて代用してもよい。また、故障発生時には故障履歴、定期的に給水装置１０の運転履歴等の情報も制御用メモリ６６に記憶される。
【００３７】
制御用メモリ６６としては、ＲＯＭ、ＨＤＤ、ＥＥＰＲＯＭ、ＦｅＲＡＭ、及び、フラッシュメモリ等の不揮発性メモリ、ＲＡＭ等の揮発性メモリが使用される。制御用メモリ６６には、各種データ、例えば演算部６９における演算結果のデータ（運転時間、積算値等）、圧力値（流入圧力、吐出し圧力）、設定部７１を通じて入力された設定情報、及びＩ／Ｏ部７０を通じて入力される、またはＩ／Ｏ部７０を通じて出力されるデータ等が格納される。
【００３８】
本実施形態の給水装置１０では、給水装置１０の運転に関する情報として、設定情報（設定値）の変更履歴、給水装置１０の異常情報、ポンプ３０Ａ，３０Ｂの運転・停止、ポンプ３０Ａ，３０Ｂの吐出し圧力（直結給水方式の場合は吐出し圧力および流入圧力）、ポンプ３０Ａ，３０Ｂ（モータ部３３Ａ，３３Ｂ）の電流値、ポンプ３０Ａ，３０Ｂの流量、および、ポンプ３０Ａ，３０Ｂの温度について、各履歴が制御用メモリ６６に記憶される。これらの履歴は、給水装置１０が有する現在時刻Ｔｃと共に記憶される。なお、これらの履歴は、制御用メモリ６６が不揮発性記憶領域を有する場合にはその不揮発性記憶領域に記憶されてもよい。
【００３９】
Ｉ／Ｏ部７０としては、ポート等が使用される。Ｉ／Ｏ部７０は、圧力センサ４８の入力信号、及び、フロースイッチ４９Ａ，４９Ｂの信号等を受け入れて演算部６９に送る。演算部６９としては、ＣＰＵが使用される。演算部６９は、制御用メモリ６６に格納されているプログラム及び各種データ、並びにＩ／Ｏ部７０から入力される信号に基づいて、ポンプ３０Ａ，３０Ｂを運転するための各種データの設定、及び、演算等を行う。演算部６９からの出力は、Ｉ／Ｏ部７０に入力される。
【００４０】
また、Ｉ／Ｏ部７０とポンプ３０Ａ，３０Ｂを駆動するインバータとは、ＲＳ４２２，２３２Ｃ，４８５等の通信手段により互いに接続される。Ｉ／Ｏ部７０からポンプ３０Ａ，３０Ｂへは、各種設定値や周波数指令値、発停信号（運転・停止信号）などの制御信号がインバータへ送られ、ポンプ３０Ａ，３０ＢからＩ／Ｏ部７０へは、実際の周波数値や電流値等の運転状況（運転情報）がインバータから逐次送られる。
【００４１】
なお、Ｉ／Ｏ部７０とポンプ３０Ａ，３０Ｂを駆動するインバータとの間で送受信される制御信号としては、アナログ信号および／またはデジタル信号を用いることができる。例えば、回転周波数等にはアナログ信号を用い、運転停止指令等にはデジタル信号を用いることができる。また、３０Ａ，３０Ｂの可変速制御を行わない場合はインバータはなくてもよい。
【００４２】
通信部７３は、有線通信または無線通信によって外部表示器８０と通信可能なように構成されている。無線通信としては、例えば近距離無線通信（ＮＦＣ：Near  Field  Communication）の技術を利用することができる。また、Ｂｌｕｅｔｏｏｔｈ（登録商標）およびＷｉ−Ｆｉなど、任意の方式の無線通信を利用することができる。ただし、ＮＦＣは、制御部６５と外部表示器８０とを近づけるだけで通信を完了させることができる点で有利である。また、有線通信としては、例えば制御部６５にＵＳＢ（Universal  Serial  Bus）のような外部接続端子が設けられ、ここに外部表示器８０が接続されることによって通信がなされてもよいし、ＲＳ４２２，２３２Ｃ，４８５等のシリアル通信を用いてもよい。
【００４３】
計時部７４は、給水装置１０における現在時刻を計数するために設けられている。計時部７４は、セラロック、水晶振動子または水晶発振器などを有し、所定時間ごとにカウントアップするタイマーカウント信号を演算部６９に送信する。なお、図４に示す例では、計時部７４が演算部６９とは別に構成されているが、計時部７４は、ＣＰＵクロックなど、演算部６９の一部として構成されてもよい。また、本実施形態では、計時部７４は、演算部６９にタイマーカウント信号を送り、演算部６９がタイマーカウント信号に基づいて現在時刻を算出して制御用メモリ６６に記憶する。しかし、こうした例に代えて、計時部７４が現在時刻を算出して制御用メモリ６６に記憶し、演算部６９が制御用メモリ６６を参照することで演算部６９が現在時刻を取得するものとしてもよい。また、本実施形態の演算部６９および計時部７４は、給水装置１０への電力供給が遮断されているときにも現在時刻の計数が可能なように、図示しないバッテリーを備えている。演算部６９および計時部７４は、外部電力が供給されているときには外部電力で作動し、停電などにより外部電力の供給が途絶えたときにバッテリーからの電力で作動して、現在時刻を計数する。
【００４４】
次に、制御部６５による給水装置１０の給水制御における自動運転ついて説明する。ポンプ３０Ａ，３０Ｂが停止している状態で吐出し圧力が所定の始動圧力にまで低下すると、制御部６５はポンプ３０Ａ，３０Ｂの少なくとも一方を始動させる。具体的には、制御部６５はポンプ３０Ａ，３０Ｂの駆動を開始するようにモータ部３３Ａ，３３Ｂ（インバータを備える場合にはインバータ）に指令を出す。ポンプ３０Ａ，３０Ｂの運転中は、設定された圧力（設定圧）により推定末端圧力一定制御または目標圧力一定制御などの制御が行われる。具体的には推定末端圧力一定制御の場合は、ポンプ３０Ａ，３０Ｂの回転数と目標圧力制御カーブとを用いてポンプ３０Ａ，３０Ｂの吐出し圧力に対する目標圧（ＳＶ）を設定し、目標圧力一定制御の場合は、設定圧を目標圧（ＳＶ）とする。また、吐出し圧力を現在圧（ＰＶ）とする。そして、ＳＶとＰＶの偏差にてＰＩＤ演算を行いポンプ３０Ａ，３０Ｂの指令回転数が設定される。なお、直結給水にて推定末端圧力一定制御を行う場合、流入圧力に基づいて目標圧力制御カーブを補正してもよい。具体的には目標圧力制御カーブを流入圧力だけ加算し、目標圧（ＳＶ）を算出する。また、制御部６５は、本実施形態のようにポンプが複数台ある場合は、同時に起動可能なポンプ台数（ポンプ並列運転台数）にて水量に応じたポンプの台数制御も行われる。
【００４５】
ポンプ３０Ａ，３０Ｂの運転中に建物での水の使用が少なくなると、フロースイッチ４９Ａ，４９Ｂは、過少水量を検出し、その検出信号を制御部６５に送る。制御部６５はこの検出信号を受け、ポンプ３０Ａ，３０Ｂに指令を出して吐出し圧力が所定の運転停止圧力に達するまでポンプ３０Ａ，３０Ｂの回転数を増加させ、圧力タンク５０に蓄圧した後ポンプ３０Ａ，３０Ｂを停止（小水量停止）させる。ポンプ３０Ａ，３０Ｂが小水量停止した後に、再び建物内で水が使用されると吐出し圧力が始動圧力以下まで低下しポンプ３０Ａ，３０Ｂが始動する。なお、本実施形態のようにポンプが複数台ある場合には、始動するポンプ３０Ａ，３０Ｂをローテーションさせ、ポンプ３０Ａ，３０Ｂ内に水が滞留するのを防ぐことが好ましい。また、小水量を検知する方法としては、フロースイッチ４９Ａ，４９Ｂを用いずに、モータ部３３Ａ，３３Ｂの電流値による低負荷や締切圧力等その他の手段を用いてもよい。
【００４６】
続いて、給水装置１０における現在時刻の計数について説明する。図５は、現在時刻計数処理の一例を示すフローチャートである。本実施形態では、現在時刻計数処理は、制御部６５によって常時実行される。
【００４７】
現在時刻計数処理では、制御部６５は、計時部７４から演算部６９にカウントアップ信号が入力されるのを待つ（Ｓ１００）。本実施形態では、計時部７４によるカウントアップは、一例として約３０μｓｅｃ（マイクロ秒）ごとに行われる。ただし、計時部７４によるカウントアップは、小さい周波数（例えば約１ヘルツ、約１０００ヘルツ）で行われ
てもよいし、大きい周波数（例えば数十メガヘルツ）で行われてもよい。制御部６５は、計時部７４から演算部６９にカウントアップ信号が入力されるまでは、繰り返しステップＳ１００の処理を実行する。
【００４８】
計時部７４から演算部６９にカウントアップ信号が入力されると（Ｓ１００：Ｙｅｓ）、制御部６５は、タイマーカウントＣｔを値１だけインクリメントする処理を実行する（Ｓ１１０）。タイマーカウントＣｔは、記憶部７８の所定の記憶領域に記憶される。そして、制御部６５は、基準時刻Ｔ０に、タイマーカウントＣｔと時刻補正係数Ｋｔとの積を加えることにより、現在時刻Ｔｃを算出して（Ｓ１２０）、再びステップＳ１００の処理へ戻る。算出された現在時刻Ｔｃは、記憶部７８の所定の記憶領域に記憶される。ここで、時刻補正係数Ｋｔは、タイマーカウントＣｔを時刻情報へと換算するための係数であり、計時部７４によるカウントアップの周期と、制御部６５の有する時刻情報の単位とに基づいて定められる。
【００４９】
こうした現在時刻計数処理により、制御部６５では、基準時刻Ｔ０と、計時部７４による現在時刻の計数（カウントアップ）と、に基づいて給水装置１０の現在時刻が算出される。
【００５０】
次に、給水装置１０における現在時刻を修正する制御について説明する。図６は、時刻修正処理の一例を示すフローチャートである。本実施形態の時刻修正処理は、通信部７３が外部表示器８０と通信を確立したときに制御部６５によって実行される。
【００５１】
時刻修正処理では、制御部６５は、まず外部表示器８０から時刻Ｔ１を受信したか否かを判定する（Ｓ２００）。そして、外部表示器８０から時刻Ｔ１を受信していないときには（Ｓ２００：Ｎｏ）、そのまま時刻修正処理を終了する。本実施形態では、給水装置１０と通信するための専用のアプリケーションソフトウエアが外部表示器８０にインストールされており、外部表示器８０は、給水装置１０との通信を確立したときに外部表示器８０が有している現在時刻Ｔ１を給水装置１０に送信するものとした。このため、本実施形態では、ステップＳ２００の処理において、制御部６５は原則として時刻Ｔ１を受信したと判定する。ただし、上記したように、外部表示器８０では、給水装置１０との通信を確立したときに時刻Ｔ１を送信するか否かを選択できてもよい。また、外部表示器８０または通信部７３は、短時間（例えば、数秒、数分）で複数回の通信を確立したときには時刻Ｔ１を送信または受信しないものとしてもよい。こうすれば、外部表示器８０と給水装置１０とで時刻Ｔ１の通信が頻繁に行わること、および、時刻修正処理によって給水装置１０の時刻の修正が頻繁に行われること、を抑制することができる。
【００５２】
外部表示器８０から通信部７３に時刻Ｔ１が受信されると（Ｓ２００：Ｙｅｓ）、制御部６５は、受信した時刻Ｔ１から基準時刻Ｔ０を減じることによって、基準時刻Ｔ０からの経過時間Ｔｐを算出する（Ｓ２１０）。また、制御部６５は、上記の現在時刻計数処理において算出した現在時刻Ｔｃから、受信時刻Ｔ１を減じることによって、給水装置１０の現在時刻Ｔｃの誤差ΔＴを算出する（Ｓ２２０）。そして、制御部６５は、誤差ΔＴを経過時間Ｔｐで割ることにより、単位時間当たりの現在時刻Ｔｃのずれである誤差割合Ｒｔを算出する（Ｓ２３０）。ここで、現在時刻Ｔｃは、記憶部７８に記憶されている情報を参照することにより取得されればよい。給水装置１０は、電気的なノイズの多い環境に設置されたり、温度変化の大きい環境に設置されたりするため、計時部７４による計数に基づいて制御部６５が算出する現在時刻Ｔｃは、実際の時刻とずれている場合がある。一方、外部表示器８０は、公衆回線またはネットワーク等を介して、定期的に現在地点における標準時を取得できるものとし、外部表示器８０の有している時刻Ｔ１は比較的正確である。このため、本実施形態の給水装置１０では、外部表示器８０から受信される時刻Ｔ１を減じて、給水装置１０の現在時刻Ｔｃの誤差ΔＴおよび誤差割合Ｒｔを算出している
。
【００５３】
次に、制御部６５は、算出した単位時間当たりの誤差割合Ｒｔに基づいて、次式（１）によって給水装置１０の現在時刻を算出するための時刻補正係数Ｋｔを修正する（Ｓ２４０）。そして、制御部６５は、外部表示器８０からの受信時刻Ｔ１を基準時刻Ｔ０に設定するとともに（Ｓ２５０）、タイマーカウントＣｔを値０にリセットして（Ｓ１６０）、時刻修正処理を終了する。外部表示器８０からの受信時刻Ｔ１が基準時刻Ｔ０に設定されるとともにタイマーカウントＣｔが値０にリセットされることにより、給水装置１０における現在時刻は外部表示器８０からの受信時刻Ｔ１に修正され、その後の現在時刻Ｔｃの計数がなされる。また、式（１）では、現在の時刻補正係数Ｋｔに、時刻補正係数Ｋｔと誤差割合Ｒｔとの積を加えることにより、時刻補正係数Ｋｔを修正している。これにより、その後は、図５の現在時刻計数処理のステップＳ１２０において、修正された時刻補正係数Ｋｔを用いて演算がなされる。こうした制御により、給水装置１０における現在時刻Ｔｃをより正確に算出することができる。
【００５４】
Kt=Kt*(1+Rt)   ・・・（１）
【００５５】
図７は、受信した時刻に基づいて現在時刻を修正する制御を説明するための図である。図７では、横軸が経過時間Ｔｔを示しており、縦軸が経過時間Ｔｔに対する給水装置１０における現在時刻Ｔｃの誤差ΔＴを示している。制御部６５は、計時部７４による所定周期のカウントアップに基づいて現在時刻Ｔｃを計数しており、図７に示すように、現在時刻Ｔｃの誤差ΔＴは経過時間Ｔｔに比例すると考えられる（ΔＴ＝Ｒｔ＊Ｔｔ）。また、この比例係数は、外部表示器８０から時刻Ｔ１を受信した時の経過時間Ｔｔの誤差ΔＴ１を、基準時刻Ｔ０からの経過時間Ｔｐで除することによって算出される（誤差割合Ｒｔ＝（ΔＴ１／Ｔｐ））。このため、本実施形態の給水装置１０では、時刻補正係数Ｋｔを誤差割合Rtだけ大きくなるように修正する。こうした制御により、その後に算出される現在時刻Ｔｃをより正確にすることができる。これにより、例えば、故障履歴を含む給水装置１０の運転に関する情報（履歴）を現在時刻Ｔｃと共に記憶するときに、給水装置１０の履歴情報をより正確な時刻と共に記憶することができる。
【００５６】
以上のように、本実施形態の給水装置１０は、外部表示器８０から時刻情報Ｔ１を受信して基準時刻Ｔ０が設定されて現在時刻Ｔｃが計数されるため、給水装置１０の現在時刻Ｔｃをより正確なものとすることができる。つまり、例えばノイズまたは温度変化等の影響で現在時刻Ｔｃにずれが生じた場合にも、制御部６５は、外部表示器８０から時刻Ｔ１を受けとる度に、現在時刻Ｔｃを適切に修正することができる。しかも、制御部６５は、外部表示器８０からの受信時刻Ｔ１に基づいて時刻補正係数Ｋｔを修正するので、その後に算出される現在時刻Ｔｃもより正確なものとすることができる。
【００５７】
また、本実施形態の給水装置１０では、現在時刻Ｔｃを正確な時刻とすることができるので、所定の時刻において定期的な給水動作を行う場合に、正確な時刻に定期動作を行うことができるようになる。さらに、給水装置１０の運転に関する履歴情報が正確な日時と共に記憶されることによって、その後の日時ごとの運転状態（例えば、給水装置１０の異常情報、ポンプ３０Ａ，３０Ｂの運転・停止、ポンプ３０Ａ，３０Ｂの吐出し圧力、ポンプ３０Ａ，３０Ｂ（モータ部３３Ａ，３３Ｂ）の電流値、ポンプ３０Ａ，３０Ｂの流量、および、ポンプ３０Ａ，３０Ｂの温度）を予想することもできる。そして、日時ごとの給水装置１０の運転状態に基づいて、所定時刻において給水装置１０の運転制御を変更（調整）することも可能となる。つまり、制御部６５は、給水装置１０の運転情報を日時と共に記憶しておき、所定の日時ごとに連続して同一の対象に同一の運転情報が記憶されているときには、次回の所定の日時において、同一の対象に同一の運転情報が生じるのを抑制する抑制制御を実行する。
【００５８】
図８は、給水装置１０の運転情報の履歴に基づいて給水装置１０の運転制御を変更する一例を示す図である。図８では、横軸を時間軸として、記憶部７８に記憶されている時刻ごとの給水装置１０の異常情報を示している。図８に示す例では、特定の曜日（Ｋ曜日）の特定の時刻（ＵＵ：ＹＹ）において、ポンプ３０Ａ，３０Ｂが小水量によって停止していた状態から始動され、そのときにモータ部３３Ａ，３３Ｂに流れる電流が過電流となって、ポンプ３０Ａ，３０Ｂの始動がリトライされている。また、その一週間後および２週間後の同じ曜日（Ｋ曜日）の同様の時刻（ＵＵ：ＹＺ、ＵＵ：ＹＸ）のそれぞれにおいて、同じくポンプ３０Ａ，３０Ｂの始動がリトライされている。こうした場合に制御部６５は、所定の日時において同一の異常が発生していると判断し、次にその異常が発生すると想定される時刻（１週間後の同時刻）を算出する。そして、制御部６５は、算出した日時において、同一の異常が発生するのを抑制できるように、抑制制御を実行する。図８に示す例では、ポンプ３０Ａ，３０Ｂの始動のリトライが抑制されるように、始動時過電流抑制制御を実行する。このときには、制御部６５は、たとえば、予め電流制限値を低く設定してポンプ３０Ａ，３０Ｂを始動してもよいし、その少し以前に予めポンプ３０Ａ，３０Ｂを始動しておいてもよい。
【００５９】
なお、図５および図６に示す例では、時刻補正係数Ｋｔを修正することにより、タイマーカウントＣｔに基づく現在時刻Ｔｃの計数を修正するものとした。しかし、現在時刻Ｔｃの計数の修正は、時刻補正係数Ｋｔを修正するものに限定されず、所定のタイミングで現在時刻Ｔｃに修正値を加える（または減じる）ことにより、現在時刻Ｔｃの計数を修正してもよい。こうした例は、特に計時部７４によるカウントアップの周波数が小さい場合に特に有効である。ここで、所定のタイミングとしては、たとえば、数時間、１日などの、所定期間毎としたり、記憶部７８に給水装置１０の運転情報を記憶するタイミング、または、表示部７２に現在時刻Ｔｃを表示するタイミングなどとしたりすることができる。または、外部表示器８０から時刻Ｔ１を受信したときの経過時間Ｔｐごとに現在時刻Ｔ１を修正してもよい。さらに、現在時刻Ｔｃの修正値は、前回に現在時刻Ｔｃを修正してからの経過時間と誤差割合Ｒｐとの積によって算出することができる。こうした例においても、給水装置１０の現在時刻Ｔｃを正確なものとすることができる。
【００６０】
なお、図４の他の構成として、演算部６９および制御用メモリ６６は、操作表示部７９に設けてもよいし、通信部７３に設けてもよい。また、制御部６５は、１つの基板に構成されてもよいし、操作表示部７９、通信部７３、および、計時部７４のうち少なくとも１つを演算部６９と別基板として、通信やバスにて互いに接続する構成としてもよい。また、メモリは揮発性メモリのみでもよいし、不揮発性メモリを備えてもよい。
【００６１】
図９は、制御部６５の別の形態を示す図である。図９に示す形態では、計時部７４は、計時用の集積回路７４ａ、計時用メモリ７４ｂ、計時用のバッテリー７４ｃを有する。一例として、計時部７４の集積回路７４ａは、時刻補正係数Ｋｔを用いて、図示しないセラロック、水晶振動子または水晶発振器などのカウントアップに応じて現在時刻を算出し、算出した現在時刻を計時用メモリ７４ｂに記憶する。そして、演算部６９は、計時用メモリ７４ｂを参照することによって現在時刻を取得する。この場合には、演算部６９が、図６の時刻修正処理のステップＳ２４０，２５０において、時刻補正係数Ｋｔおよび基準時刻Ｔ０を記憶部７８に代えてまたは加えて計時用メモリ７４ｂに記憶することにより、上記した実施形態と同様の制御を実行することができる。なお、図５の時刻修正処理の少なくとも一部が計時部７４の集積回路７４ａで実行されるものとしてもよい。このように計時部７４が計時用のバッテリー７４ｃを備えることにより、給水装置１０への電源の供給が遮断されているときにも現在時刻の算出を継続することができる。また、制御部６５または給水装置１０の全体に電力を供給可能なバッテリーを備える場合に比して、簡易なバッテリーを利用することができ、装置の小型化および低コスト化を図ることができる。
【００６２】
（変形例１）
図１０は、変形例の制御部および外部表示器を示す図である。この変形例では、通信部７３が、制御部側アンテナ部７６、集積回路７７、及び、記憶部７８を備えている。記憶部７８は、通信用の揮発性メモリ（不図示）並びに不揮発性メモリ（不図示）を含んでいる。集積回路７７は、制御部側アンテナ部７６、記憶部７８に電気的に接続されている。なお、図１０に示す制御部６５Ａは表示部７２を備えていないが、表示部７２を備えてもよい。また、変形例の制御部６５Ａは、ポンプ３０Ａ，３０Ｂ等の給水装置１０の他の構成と一体に設けられていてもよいし、給水装置１０のデータを中継するための装置として給水装置１０の他の構成から離れて設けられてもよい。
【００６３】
変形例の外部表示器８０は、電波を送受信する表示器側アンテナ部８１と、表示部８２と、バッテリー８３と、データリーダー８４と、を備えている。この外部表示器８０では、表示器側アンテナ部８１で受信したデータがデータリーダー８４で読み取られる。そして、データリーダー８４で読み取られたデータ（例えば、目標圧ＳＶ、現在圧ＰＶ、ポンプ３０Ａ，３０Ｂの周波数など）が表示部８２で表示される。また、外部表示器８０より給水装置１０の各種設定値を変更することも可能とする。バッテリー８３は、表示器側アンテナ部８１、データリーダー８４、および表示部８２に電力を供給する。
【００６４】
外部表示器８０として、例えばスマートフォン、携帯電話、パソコン、タブレット等の汎用端末機器を用いてもよく、遠隔監視器などの専用の端末機器を用いてもよい。特に、スマートフォンなどの汎用端末機器を外部表示器として使用すれば、専用の表示器を制作するコストが削減できるので、給水装置のコストを下げることができる。また、複数のユーザーが個々の汎用端末機器に給水装置１０の状態を表示させたり、設定を変更したりすることができるので、ユーザーのレベル又は目的に沿った操作を提供することが可能である。たとえば、マンションまたはビルの管理人のような給水装置に関する専門知識のないユーザーに対して、ポンプ３０Ａ，３０Ｂの制御に関する情報などを分かり易く知らせることができる給水装置を安価に提供することができる。
【００６５】
外部表示器８０は、近距離無線通信（ＮＦＣ：Near  Field  Communication）の技術によって制御部６５Ａと接続される。より具体的には、外部表示器８０を制御部６５Ａに近づけた状態で、表示器側アンテナ部８１が電波を発生すると、その電波を制御部側アンテナ部７６が受け取り、制御部側アンテナ部７６は電波を電力に変換する。この電力は集積回路７７および記憶部７８に供給されてこれら集積回路７７および記憶部７８を駆動する。外部表示器８０が記憶部７８のデータを読取る場合、集積回路７７は、電波に含まれる通信データに基づいて、記憶部７８に記憶されているデータを読み取り、制御部側アンテナ部７６にデータを送る。制御部側アンテナ部７６は、データとともに電波を表示器側アンテナ部８１に送信する。データリーダー８４は、表示器側アンテナ部８１が受信したデータを読み取り、そのデータを表示部８２に表示させる。また、外部表示器８０が記憶部７８のデータを変更する場合、集積回路７７は、電波に含まれる通信データに基づいて、記憶部７８のデータを変更し、制御部側アンテナ部７６にデータ変更が実行されたことを意味するデータを送る。制御部側アンテナ部７６は、データとともに電波を表示器側アンテナ部８１に送信する。データリーダー８４は、表示器側アンテナ部８１が受信したデータを読み取り、データ変更が実行されたことを表示部８２に表示させる。
【００６６】
外部表示器８０は、表示を消去するためのクリアボタン８６と、データをリセットするためのリセットボタン（不図示）を備えていてもよい。ユーザーがクリアボタン８６を押すと、表示部８２の表示が消去される。また、リセットボタンを押すと、リセット信号が制御部６５Ａに送信され、リセット信号を受信した制御部６５Ａは、メンテナンス情報などのデータをリセットする。本実施形態のクリアボタン８６は、表示部８２の画面上に現
れる仮想的なボタンであるが、クリアボタン８６は表示部８２の外に設けられた機械的なボタンであってもよい。なお、実施形態および変形例の制御部６５，６５Ａにクリアボタン、リセットボタンを設けてもよい。
【００６７】
変形例では、制御部６５Ａの記憶部７８に記憶されているデータは、無線通信により制御部６５Ａから外部表示器８０に送られる。変形例によれば、給水装置１０の電源が入っていない場合でも、制御部側アンテナ部７６は外部表示器８０から発せられる電波から電力を発生し、集積回路７７および記憶部７８を駆動することができる。したがって、給水装置１０のメンテンナンス中などにおいて制御部６５に電力が供給されていないときでも、外部表示器８０は、制御部６５の記憶部７８からデータを取得して表示したり、記憶部７８に記憶されているデータを変更することができる。なお、このときには、制御部６５Ａの集積回路７７が図６の時刻修正処理などを行い、時刻補正係数Ｋｔおよび基準時刻Ｔ０の修正、もしくは、タイマーカウンタＣｔのリセットを記憶部７８に記憶してもよい。
【００６８】
ＮＦＣは、数ｃｍの近距離にて相互通信する技術である。変形例の制御部６５Ａを給水装置１０の他の構成と一体に設けられている場合、外部表示器８０にて各種情報を表示または変更するときには、ユーザー及びメンテナンス員は、相互通信可能な距離まで外部表示器８０を制御部６５Ａに近づけることになる。このことは、外部表示器８０を操作するときは、ユーザーおよびメンテナンス員は給水装置１０の近くにいることを意味する。このため、例えば消耗品の交換作業中にリセットボタンが押されてポンプが起動するといった誤操作に起因した給水装置１０の予期しない動作を防止することに繋がる。また、複数の給水装置１０が設置された現場では、表示したい給水装置１０の近距離で相互通信が可能となる為、意図しない別の給水装置の状態を表示または設定変更してしまうという誤表示または誤操作を防止することが出来る。
【００６９】
なお、本実施形態または変形例の給水装置１０の通信部７３は、公衆回線やネットワーク、専用回線等を介して、保守管理会社または管理人室に設けられた遠隔監視装置(例えば、パソコン、スマートフォン、又は、専用モニター)と通信してもよい。この場合、ポンプの運転情報、設定情報の変更履歴、給水装置１０の異常履歴等が、通信部７３から遠隔監視装置に送信される。遠隔監視装置は、受信したデータを表示する表示部を備えてもよい。また、遠隔監視装置は給水装置１０から受信したデータを、外部表示器８０に送信してもよい。また、外部表示器８０および遠隔監視装置は、給水装置１０から受信したデータを外部サーバに送信して記憶させてもよい。また、遠隔監視装置から各種データの書き込みを行ってよいし、外部表示器から遠隔監視装置へ各種データを書き込み更に遠隔監視装置より給水装置１０へ各種データの書き込みを行ってもよい。このときには、給水装置１０は、外部表示器８０と通信したときと同様に、遠隔監視装置から設定情報の変更指令を受信したときに、または遠隔監視装置と通信したときに、上記した設定情報変更処理または通信時制御処理を実行して、遠隔監視装置から時刻情報Ｔ０を受信してもよい。
【００７０】
本実施形態または変形例の給水装置１０が、記憶部７８に記憶した各種履歴情報は制御用メモリ６６と共用してもよい。例えば、給水装置１０が電源断時に記憶部７８に書き込まれた情報は、給水装置１０の復電後に制御用メモリ６６にコピーされ、通電中に制御用メモリ６６の各種履歴情報が変更された場合は、記憶部７８にコピーされるとよい。但しこのようなタイミングにコピーするのみに限らず、制御用メモリ６６と記憶部７８の値が一致すればよい。
【００７１】
以上、本発明の実施の形態について説明してきたが、上記した発明の実施の形態は、本発明の理解を容易にするためのものであり、本発明を限定するものではない。本発明は、その趣旨を逸脱することなく、変更、改良され得るとともに、本発明にはその均等物が含まれることはもちろんである。また、上述した課題の少なくとも一部を解決できる範囲、
または、効果の少なくとも一部を奏する範囲において、特許請求の範囲および明細書に記載された各構成要素の任意の組み合わせ、または、省略が可能である。
【符号の説明】
【００７２】
１０…給水装置
２０…ベース
３０Ａ，３０Ｂ…ポンプ
４０…吐出配管
４５…連結配管
４８…圧力センサ
５０…圧力タンク
６０…制御盤
６５，６５Ａ…制御部
６６…制御用メモリ
６７…通信用メモリ
６８…不揮発性メモリ
６９…演算部
７０…Ｉ／Ｏ部
７１…設定部
７２…表示部
７３…通信部
７６…制御部側アンテナ部
７７…集積回路
７８…記憶部
７９…運転パネル
８０…外部表示器
８１…表示器側アンテナ部
８２…表示部
８３…バッテリー
８４…データリーダー
【図１】
2018127997.tif 000003
【図２】
2018127997.tif 000004
【図３】
2018127997.tif 000005
【図４】
2018127997.tif 000006
【図５】
2018127997.tif 000007
【図６】
2018127997.tif 000008
【図７】
2018127997.tif 000009
【図８】
2018127997.tif 000010
【図９】
2018127997.tif 000011
【図１０】
2018127997.tif 000012